(57)【要約】【課題】本体部への電源ケーブルの接続を容易にし、かつ電源ケーブルの弛みを抑制する。【解決手段】送風装置は、シーリングローゼットに接続した電源ケーブル（３３）にて本体部に給電し、ケーブル収納部（６２ａ）と電源ケーブル（３３）の引き出し長さを可変にするケーブル長可変部（固定プーリ６４、可動プーリ６５、案内溝６６、引張りばね６７）とを有するケーブル長可変装置（３４）を備える。【選択図】図１１
2019086167.tif 000002
【特許請求の範囲】
【請求項１】
空気を吹き出すファンおよび前記ファンを回転させるモータを有し、シーリングローゼットに取り付けられる本体部を備え、
一端部を前記シーリングローゼットに接続し、他端部を前記本体部に接続する電源ケーブルにより前記本体部に給電する送風装置において、
前記電源ケーブルの前記一端部と前記他端部との間の部分を収容するケーブル収納部、および前記ケーブル収納部に設けられ、前記ケーブル収納部からの前記電源ケーブルの引き出し長さを可変にするケーブル長可変部を有するケーブル長可変装置を備えていることを特徴とする送風装置。
【請求項２】
前記ケーブル長可変部は、
一定位置に固定状態に設けられ、前記シーリングローゼットから前記ケーブル収納部に引き込まれた前記電源ケーブルが、側面と接して通過する第１案内部材と、
前記ケーブル収納部からの前記電源ケーブルの引出し方向および前記引出し方向とは逆方向である戻し方向に移動可能に設けられ、前記第１案内部材を通過した前記電源ケーブルが、側面と接して通過する第２案内部材と、
前記第２案内部材を前記戻し方向へ付勢する付勢部材とを備えていることを特徴とする請求項１に記載の送風装置。
【請求項３】
前記第２案内部材は、前記電源ケーブルが接触する外周部が円形であり、かつ回転可能であることを特徴とする請求項２に記載の送風装置。
【請求項４】
前記第１案内部材は、前記電源ケーブルが接触する外周部が円形であり、かつ回転可能であることを特徴とする請求項３に記載の送風装置。
【請求項５】
前記シーリングローゼットに取り付けられ、前記本体部に連結される本体支持部を備え、
前記ケーブル長可変装置は、前記ケーブル長可変装置を前記本体支持部に対する連結状態とする連結動作部を有することを特徴とする請求項１から４のいずれか１項に記載の送風装置。
【請求項６】
前記電源ケーブルと対向する内面に不燃部材を有し、前記電源ケーブルが存在する領域を上方から覆うケーブルカバーを備えていることを特徴とする請求項１から５のいずれか１項に記載の送風装置。
【請求項７】
前記本体部は、上面における前記ケーブルカバーが配置される領域に嵌合受部を有し、
前記ケーブルカバーは、前記嵌合受部に対する嵌合動作および嵌合解除動作を行う嵌合動作部を有することを特徴とする請求項６に記載の送風装置。
【発明の詳細な説明】
【技術分野】
【０００１】
本発明は、ファンおよびモータを備えた送風装置に関する。
【背景技術】
【０００２】
従来、家屋の天井に取り付ける空気清浄機等の各種電気機器が開発されている。それら、電気機器は、天井に取り付けられ、天井に設けられているシーリングローゼットから給電される。このように、天井に取り付けられる電気機器として、特許文献１には、天井取付型空気清浄機が開示されている。
【０００３】
特許文献１に記載の構成では、電気回路に給電する電源ケーブル（給電線）は、一端部がシーリングローゼットに電気的に接続され、軸体を通して下方へ引き出されている。
【先行技術文献】
【特許文献】
【０００４】
【特許文献１】特開２０００−１６１７２９号公報
【発明の概要】
【発明が解決しようとする課題】
【０００５】
ここで、電気回路への電源ケーブルの接続作業を容易するには、電源ケーブルを長めにして余裕を持たせる必要がある。しかしながら、特許文献１に記載の構成では、一端部がシーリングローゼットに接続された電源ケーブルを単に下方へ引き出しているため、電源ケーブルの長さに余裕を持たせた場合、電源ケーブルを電気回路と接続した後でも弛んだ状態となり易い。この場合には、電源ケーブルが他の部材と絡まって損傷し易くなるといった事態を生じる。
【０００６】
したがって、本発明は、送風装置の本体部への電源ケーブルの接続を容易にし、かつ電源ケーブルの弛みを抑制することができる送風装置の提供を目的としている。
【課題を解決するための手段】
【０００７】
上記の課題を解決するために、本発明の一態様に係る送風装置は、空気を吹き出すファンおよび前記ファンを回転させるモータを有し、シーリングローゼットに取り付けられる本体部を備え、一端部を前記シーリングローゼットに接続し、他端部を前記本体部に接続する電源ケーブルにより前記本体部に給電する送風装置において、前記電源ケーブルの前記一端部と前記他端部との間の部分を収容するケーブル収納部、および前記ケーブル収納部に設けられ、前記ケーブル収納部からの前記電源ケーブルの引き出し長さを可変にするケーブル長可変部を有するケーブル長可変装置を備えている。
【発明の効果】
【０００８】
本発明の一態様によれば、作業者は、電源ケーブルをケーブル長可変装置から引き出すことにより、電源ケーブルの他端部を本体部の所定の接続部に容易に接続することができる。また、本体部への電源ケーブルの接続後に、ケーブル長可変部がケーブル収納部から引き出された電源ケーブルの余分の部分（弛んだ部分）を収納することにより、電源ケーブルが弛んだ状態になるのを抑制することができる。これにより、一端部がシーリングローゼットに接続された電源ケーブルは、本体部への接続が容易であり、かつ上記接続後に弛みが生じ難くなる。
【図面の簡単な説明】
【０００９】
【図１】本発明の実施形態の、天井へ取り付けた状態の送風装置を斜め下方から見た場合の斜視図である。
【図２】図２の（ａ）は、図１に示した送風装置にケーブル長可変装置を取り付けた状態を斜め上方から見た場合の斜視図、図２の（ｂ）は、図２の（ａ）に示した状態の送風装置の縦断面図である。
【図３】図３の（ａ）は、図１に示した送風装置にケーブル長可変装置およびケーブルカバーを取り付けた状態を斜め上方から見た場合の斜視図、図３の（ｂ）は、図３の（ａ）に示した状態の送風装置の縦断面図である。
【図４】図２に示したシーリングローゼットのハンガー部に対して取付け状態の本体支持部、およびに本体支持部に設けられた係合部の構成を示す斜視図である。
【図５】図２の(ａ)に示した本体支持部と本体部との関係を示す斜視図である。
【図６】図５に示した本体支持部と本体部との嵌合状態を示す斜視図である。
【図７】図２に示した本体部における上筐体部を除去した状態を示す平面図である。
【図８】図２に示した本体支持部およびケーブル長可変装置を拡大して示すものであって、本体支持部にケーブル長可変装置を取り付けた状態の斜視図である。
【図９】図８に示した状態からケーブル長可変装置の下筐体部を後方へスライドさせた状態の斜視図である。
【図１０】図８に示した状態の本体支持部およびケーブル長可変装置の縦断面図である。
【図１１】図１１の（ａ）は、図８に示したケーブル長可変装置において、可動プーリがケーブル短縮位置に存在する場合の上筐体部のケーブル収納部の構成を示す平面図、図１１の（ｂ）は、図８に示したケーブル長可変装置において、可動プーリがケーブル延長位置に存在する場合の上筐体部のケーブル収納部の構成を示す平面図である。
【図１２】図１２の（ａ）は、図８に示したケーブル長可変装置において、可動プーリがケーブル短縮位置に存在する場合の上筐体部の底面図、図１２の（ｂ）は、図８に示したケーブル長可変装置において、可動プーリがケーブル延長位置に存在する場合の上筐体部の底面図である。
【図１３】図２（ａ）に示した状態の送風装置のケーブル長可変装置およびその付近の構成を示す斜視図である。
【図１４】図３（ａ）に示した状態の送風装置のケーブルカバーおよびその付近の構成を示す斜視図である。
【図１５】図１５の（ａ）は、図１４に示したケーブルカバーの係合爪部が本体部の係合凸部に嵌合した状態の本体部およびケーブルカバーの縦断面図、図１５の（ｂ）は、図１４に示したケーブルカバーの縦断面図である。
【発明を実施するための形態】
【００１０】
〔実施形態１〕
（送風装置の天井への取り付け構造）
本発明の実施形態を図面に基づいて以下に説明する。図１は、本実施形態の、部屋の天井へ取り付けた状態の送風装置１を斜め下方から見た場合の斜視図である。図２の（ａ）は、図１に示した送風装置１にケーブル長可変装置３４を取り付けた状態を斜め上方から見た場合の斜視図、図２の（ｂ）は、図２の（ａ）に示した状態の送風装置１の縦断面図である。図３の（ａ）は、図１に示した送風装置１にケーブル長可変装置３４およびケーブルカバー３５を取り付けた状態を斜め上方から見た場合の斜視図、図３の（ｂ）は、図３の（ａ）に示した状態の送風装置１の縦断面図である。
【００１１】
図１に示すように、本実施形態の送風装置１は、家屋の天井パネル（天井）１１に取り付けられている。具体的には、天井パネル１１にはシーリングローゼット１２（図２参照）が設けられ、送風装置１はシーリングローゼット１２に取り付けられ、シーリングローゼット１２により支持されている。送風装置１は、図２の(ａ)(ｂ)および図３の(ａ)(ｂ)に示すように、本体支持部２１、係合部２６、本体部２２、ケーブル長可変装置３４およびケーブルカバー３５を備えている。
（シーリングローゼット１２の構成）
図４は、シーリングローゼット１２のハンガー部１３（図８参照）に対して取付状態の本体支持部２１、およびに本体支持部２１に設けられた（連結された）係合部２６の構成を示す斜視図である。なお、図４では、本体支持部２１は、本体部２２の上面に設けられた（連結された）支持部材嵌合部（本体側連結部）３１に嵌合されている。
【００１２】
シーリングローゼット１２は、いわゆるハンガー付きのシーリングローゼットであり、外周部の１８０度ごとの位置に各１個、合計２個のハンガー部１３を有している。ハンガー部１３は、外側の端部に、上方へ折れ曲がった上方突出部１３ｂ（図８参照）を有する。一例として、送風装置１の重量は、約８．５ｋｇであり、シーリングローゼット１２は、送風装置１の荷重に耐え得るものである。
（本体支持部２１の構成）
本体支持部２１は、シーリングローゼット１２のハンガー部１３にねじにて固定される。この場合、ねじは、本体支持部２１の下方から本体支持部２１の上板部２１ａのねじ穴を貫通し、ハンガー部１３のねじ締結穴に締結される。
【００１３】
本体支持部２１は、例えば金属にて形成され、上板部２１ａ、円筒部２１ｂおよび鍔部２１ｃを有する。上板部２１ａは、円板形状を有し、中央部に、シーリングローゼット１２の中央の突出部を貫通させる円形穴２１ａ１を有する。円筒部２１ｂは、所定高さの円筒形を有し、上縁部が上板部２１ａの外周部とつながっている。鍔部２１ｃは、円形のドーナツ板形状であり、内周部が円筒部２１ｂの下縁部とつながっている。鍔部２１ｃには、円形の多数の嵌合穴２１ｃ１が全周に亘って形成されている。
【００１４】
（係合部２６の構成）
係合部２６は、２個のハンガー部１３に対応して、図４に示すように、本体支持部２１の上板部２１ａの上面に２個設けられている。係合部２６は、対向部２６ａ、立上り部２６ｂおよび下板部２６ｃを有する。対向部２６ａは、本体支持部２１がねじにてシーリングローゼット１２のハンガー部１３に締結された状態において、ハンガー部１３と対向する。立上り部２６ｂは、下端部が下板部２６ｃの一方向の端部とつながっており、上端部が対向部２６ａの上記一方向とは反対方向の端部とつながっている。下板部２６ｃは、本体支持部２１の上板部２１ａ上に位置し、上板部２１ａに例えばねじにて固定されている。
【００１５】
係合部２６の対向部２６ａは、本体支持部２１をねじ２３にてハンガー部１３に締結した状態においてハンガー部１３の上方突出部１３ｂと対向する位置に、上方突出部１３ｂを通すことができる突出部挿入穴２６ａ１を有している。突出部挿入穴２６ａ１には、ねじがハンガー部１３のねじ締結穴から外れて本体支持部２１すなわち送風装置１が下方へ移動した場合に、シーリングローゼット１２のハンガー部１３の上方突出部１３ｂが嵌合するようになっている。
【００１６】
また、対向部２６ａは、ねじ２３との干渉を避ける、例えば切欠き状のねじ挿通部２６ａ２を有している。さらに、対向部２６ａは、長手方向における上記一方向の端部に、下方突出部２６ａ３を有している。
【００１７】
（支持部材嵌合部３１の構成）
図５は、図２の(ａ)に示した本体支持部２１と本体部２２との関係を示す斜視図である。図６は、図５に示した本体支持部２１と本体部２２との嵌合状態を示す斜視図である。
【００１８】
本体部２２は、図５に示すように、上面部の中央位置に、本体支持部２１と嵌合する支持部材嵌合部３１を有する。支持部材嵌合部３１は、断面Ｚ形状の部材をＵ字形に湾曲させた状態のものである。支持部材嵌合部３１は、具体的には、それぞれＵ字形の上板部３１ａ、立上り部３１ｂおよび下板部３１ｃを有する。上板部３１ａは、Ｕ字形の支持部材嵌合部３１の内側に位置している。支持部材嵌合部３１のＵ字形の両端部間は、横方向に開口した嵌合開口部３１ｄとなっている。
【００１９】
上板部３１ａは、外周部が立上り部３１ｂの上縁部とつながっている。上板部３１ａは、Ｕ字形の中途部分に下方へ突出した嵌合凸部３１ａ２を有する。立上り部３１ｂは、下縁部が下板部３１ｃの内周部とつながっている。下板部３１ｃは、本体部２２の上面部に固定されている。
【００２０】
（本体支持部２１により本体部２２を支持する構成）
本体部２２の支持部材嵌合部３１は、図６に示すように、本体支持部２１と嵌合する。この場合、本体支持部２１の鍔部２１ｃが、支持部材嵌合部３１の対向する立上り部３１ｂの間に位置し、支持部材嵌合部３１の上板部３１ａが本体支持部２１の鍔部２１ｃの上に位置する。これにより、本体部２２は、本体支持部２１によって支持される。また、支持部材嵌合部３１の上板部３１ａの嵌合凸部３１ａ２が、本体支持部２１の鍔部２１ｃの嵌合穴２１ｃ１に嵌合している。これにより、本体部２２は、回転しないように固定される。
【００２１】
本体支持部２１は、上記のように、上部（上板部２１ａ）がシーリングローゼット１２に固定され、下部（鍔部２１ｃ）に本体部２２が嵌合され、上部と下部との間に、上下方向に延びる中間部（円筒部２１ｂ）を有している。
【００２２】
（本体部２２の構成）
図７は、図２に示した本体部２２における上筐体部４１を除去した状態を示す平面図である。図２および図７に示すように、本体部２２は、上筐体部４１、送風機４２、送風通路４３（図７参照）、ＨＥＰＡフィルタ(High Efficiency Particulate Air Filter)４４、照明部４５、イオン発生素子４６（図７参照）、プレフィルタ（図示せず）、下部カバー部材５２およびルーバリング５８を備えている。
【００２３】
上筐体部４１は、本体部２２の最上部に位置し、本体部２２の内部を上から覆っている。上筐体部４１は、周縁部が下方へ湾曲して傾斜した形状となっている。上筐体部４１には、上記支持部材嵌合部３１が取り付けられている。
【００２４】
送風機４２は、支持部材嵌合部３１すなわちシーリングローゼット１２の真下の位置に配置され、ファン４７およびファン４７を回転させるモータ４８を備えている。これらファン４７およびモータ４８は、鉛直方向において、これらファン４７およびモータ４８の中心が本体部２２の重心とほぼ一致するように、本体部２２の径方向（天井と平行な方向）の中央部に設けられている。
【００２５】
ファン４７は、図７に示すように、送風通路４３の内部に設けられている。送風通路４３は、二つの吹出口４３ａを反対方向に有し、ファン４７が回転することにより、それら吹出口４３ａから空気を吹き出すようになっている。吹出口４３ａには、上下方向に延びるルーバ５７が設けられている。
【００２６】
イオン発生素子４６は、送風通路４３の二つの吹出口４３ａの近傍位置にそれぞれ設けられ、イオンを発生し、発生したイオンを吹出口４３ａから吹き出される空気に与える。
【００２７】
ＨＥＰＡフィルタ４４は、集塵フィルタとしての機能を有し、本体部２２の下部に設けられている。ＨＥＰＡフィルタ４４の下には、プレフィルタが設けられている。プレフィルタは、ＨＥＰＡフィルタ４４の前段にて、埃やゴミを除去する。
【００２８】
プレフィルタの下方には下部カバー部材５２が設けられている。下部カバー部材５２の周りは、本体部２２への吸込口６０となっている。
【００２９】
照明部４５は、照明基板５５、および照明基板５５を覆う照明カバー５６を備えている。照明基板５５は、多数のＬＥＤが設けられ、ドーナツ板形状を有している。したがって、本実施形態の送風装置１は、ＬＥＤ照明を備えたＬＥＤ装置としての機能も有する。
【００３０】
（ケーブル長可変装置３４の構成）
図８は、図２に示した本体支持部２１およびケーブル長可変装置３４を拡大して示すものであって、本体支持部２１にケーブル長可変装置３４を取り付けた状態の斜視図である。図９は、図８に示した状態からケーブル長可変装置３４の下筐体部６３を後方へスライドさせた状態の斜視図である。図１０は、図８に示した状態の本体支持部２１およびケーブル長可変装置３４の縦断面図である。
【００３１】
図１１の（ａ）は、図８に示したケーブル長可変装置３４において、可動プーリ６５がケーブル短縮位置に存在する場合の上筐体部６２のケーブル収納部６２ａの構成を示す平面図、図１１の（ｂ）は、図８に示したケーブル長可変装置３４において、可動プーリ６５がケーブル延長位置に存在する場合の上筐体部６２のケーブル収納部６２ａの構成を示す平面図である。図１２の（ａ）は、図８に示したケーブル長可変装置３４において、可動プーリ６５がケーブル短縮位置に存在する場合の上筐体部６２の底面図、図１２の（ｂ）は、図８に示したケーブル長可変装置３４において、可動プーリ６５がケーブル延長位置に存在する場合の上筐体部６２の底面図である。
【００３２】
ケーブル長可変装置３４は、図１０に示すように、上筐体部６２と下筐体部６３とからなる筐体６１を有する。上筐体部６２は、上壁部および下壁部により区画されたケーブル収納部６２ａを有する。ケーブル収納部６２ａには、図１１および図１２に示すように、固定プーリ６４および可動プーリ６５が設けられている。固定プーリ６４は一定位置で回転可能である。可動プーリ６５は、引出し方向Ｐおよびその逆方向である戻し方向ＰＢへ移動可能、かつ回転可能である。
【００３３】
図１１および図１２に示すように、上筐体部６２には、固定プーリ６４の側方位置の下壁部には、引出し方向Ｐおよび戻し方向ＰＢに延びる案内溝６６が形成され、可動プーリ６５は案内溝６６内を移動可能となっている。また、可動プーリ６５は、引張りばね（付勢部材）６７により戻し方向ＰＢへ引っ張られている。上記固定プーリ６４、可動プーリ６５、案内溝６６および引張りばね６７はケーブル長可変部を構成する。
【００３４】
ケーブル長可変装置３４には電源ケーブル３３が通される。電源ケーブル３３の一端部は、シーリングローゼット１２の電源接続アダプタ１４に接続される。電源ケーブル３３の他端部は、本体支持部２１側の端部からケーブル長可変装置３４のケーブル収納部６２ａ内に引き込まれ、固定プーリ６４と可動プーリ６５とにＳ字形に順次巻き付けられた後、電源接続部３２側の他端部から引き出される。また、電源ケーブル３３の他端部には、電源接続部３２と接続されるコネクタ３６が設けられる。電源接続部３２は、電源ケーブル３３のコネクタと接続されるコネクタを有する。電源接続部３２は、本体部２２のモータ４８や照明基板５５へ給電する電源基板と接続されている。
【００３５】
ケーブル長可変装置３４の上筐体部６２の前端部（本体支持部２１側端部）付近には、図９および図１０に示すように、下方へ突出する嵌合凸部６２ｂが設けられている。嵌合凸部６２ｂは、上筐体部６２を本体支持部２１の鍔部２１ｃ上に配置した状態において鍔部２１ｃの嵌合穴２１ｃ１と嵌合することができる。
【００３６】
ケーブル長可変装置３４の下筐体部６３は、上筐体部６２に対して前後方向にスライド可能である。下筐体部６３が前方にスライドした状態では、図８に示すように、下筐体部６３の前部が本体支持部２１の鍔部２１ｃの下に位置し、上筐体部６２と下筐体部（連結動作部）６３とにより、鍔部２１ｃを挟み込む状態となる。この状態は、上筐体部６２の嵌合凸部（連結動作部）６２ｂが鍔部２１ｃの嵌合穴２１ｃ１に嵌合された状態であり、本体支持部２１にケーブル長可変装置３４を取り付けた状態である。
【００３７】
一方、下筐体部６３が後方にスライドした状態では、図９に示すように、下筐体部６３の前部が本体支持部２１の鍔部２１ｃの下から退行して外れた状態となる。この状態では、本体支持部２１の鍔部２１ｃの嵌合穴２１ｃ１に嵌合された、上筐体部６２の嵌合凸部６２ｂを嵌合穴２１ｃ１から抜き出し、ケーブル長可変装置３４を鍔部２１ｃから取り外すことができる。
【００３８】
上記のような構成により、ケーブル長可変装置３４は、電源ケーブル３３が強く引っ張られても壊れ難く、耐久性があり、電源ケーブル３３を適度な長さに引き出し可能となっている。
【００３９】
（ケーブルカバー３５の構成）
図１３は、図２（ａ）に示した状態（ケーブル長可変装置３４を取り付けた状態）の送風装置１のケーブル長可変装置３４およびその付近の構成を示す斜視図である。図１４は、図３（ａ）に示した状態（ケーブル長可変装置３４およびケーブルカバー３５を取り付けた状態）の送風装置１のケーブルカバー３５およびその付近の構成を示す斜視図である。図１５の（ａ）は、図１４に示したケーブルカバー３５の係合爪部７１が本体部２２の係合凸部３７に嵌合した状態の本体部２２およびケーブルカバー３５の縦断面図、図１５の（ｂ）は、図１４に示したケーブルカバー３５の縦断面図である。
【００４０】
ケーブルカバー３５は、図３の（ａ）、図１４および図１５に示すように、本体部２２の上面において、図１３に示す、ケーブル長可変装置３４および電源接続部３２の領域を上から覆う蓋形状となっている。ケーブルカバー３５の外殻部は耐熱性の例えば樹脂成型品である。一方、外殻部の内側の内面部材７３は、耐熱性かつ不燃性を有する部材（例えば耐熱性の金属板）からなり、少なくとも電源ケーブル３３と対向する部分を覆っている。
【００４１】
ケーブルカバー３５は、内面側に係合爪部７１を有し、外面側に係合爪部７１を操作する操作レバー７２を有する。これら係合爪部７１および操作レバー７２は嵌脱動作部を構成する。すなわち、係合爪部７１は、ケーブルカバー３５を本体部２２の上面の所定位置に配置した状態において、本体部２２の上面の係合凸部（嵌合受部）３７と係合し、ケーブルカバー３５を本体部２２に対して取付け状態とする。一方、係合爪部７１は、操作レバー７２を操作することにより、係合凸部との係合状態が解除される。これにより、ケーブルカバー３５を本体部２２から取り外し可能となる。
【００４２】
（天井への送風装置１の取り付け）
上記の構成において、天井への送風装置１の取り付け方法について説明する。
【００４３】
天井への送風装置１の取り付けの際には、電源ケーブル３３は、予めケーブル長可変装置３４のケーブル収納部６２ａに通した状態としておく。この状態では、電源ケーブル３３は、図１１の（ａ）（ｂ）に示すように、固定プーリ６４および可動プーリ６５に巻き付けられている。また、電源ケーブル３３の電源接続部３２との接続側端部にはコネクタ３６を取り付けておく。
【００４４】
まず、天井パネル１１に設けられているシーリングローゼット１２に対して本体支持部２１を取り付ける。なお、本体支持部２１には既に係合部２６が取り付けられた状態である。
【００４５】
この場合、作業者は、本体支持部２１の上板部２１ａの係合部２６が存在しない面がシーリングローゼット１２のハンガー部１３と対向するように、シーリングローゼット１２に対して本体支持部２１を下方から当接させる。
【００４６】
次に、作業者は、本体支持部２１を回転させて、係合部２６の対向部２６ａの突出部挿入穴２６ａ１とシーリングローゼット１２のハンガー部１３の上方突出部とを対向させる。
【００４７】
上記状態では、係合部２６の対向部２６ａがシーリングローゼット１２のハンガー部１３の上に位置し、作業者が本体支持部２１から手を離すと、係合部２６の対向部２６ａがシーリングローゼット１２のハンガー部１３の上に載置された状態となり、本体支持部２１は落下しない。また、係合部２６の対向部２６ａの突出部挿入穴２６ａ１にはシーリングローゼット１２のハンガー部１３の上方突出部が挿入された状態となる。この状態では、本体支持部２１の上板部２１ａのねじ穴２１ａ１の位置とシーリングローゼット１２のハンガー部１３のねじ締結穴の位置とがほぼ合致している。
【００４８】
次に、作業者は、本体支持部２１をシーリングローゼット１２に押し付け、下方からねじにて本体支持部２１をハンガー部１３にねじ止めする。これにより、図４に示すように、シーリングローゼット１２に対して本体支持部２１を取り付けることができる。
【００４９】
次に、図８および図９に示すように、ケーブル長可変装置３４のケーブル収納部６２ａに通した電源ケーブル３３の端部を本体支持部２１の下方から電源接続アダプタ１４に接続する。この接続が完了した状態では、ケーブル長可変装置３４および電源ケーブル３３は、電源接続アダプタ１４からぶら下がった状態である。
【００５０】
次に、本体部２２を本体支持部２１に取り付ける。この場合、作業者は、本体部２２を天井パネル１１の位置まで持ち上げ、本体支持部２１に向って天井パネル１１の下面と並行に移動させ（図５参照）、本体部２２の支持部材嵌合部３１を本体支持部２１に嵌合させる（図６参照）。これら両者の嵌合状態では、本体支持部２１の鍔部２１ｃが、支持部材嵌合部３１の対向する立上り部３１ｂの間に位置し、支持部材嵌合部３１の上板部３１ａが本体支持部２１の鍔部２１ｃの上に位置する。これにより、本体部２２は、本体支持部２１によって支持される。
【００５１】
次に、作業者は、支持部材嵌合部３１の上板部３１ａの嵌合凸部３１ａ２が、本体支持部２１の鍔部２１ｃの嵌合穴２１ｃ１に嵌合するように、本体部２２を回転させる。これにより、本体部２２は、回転しないように固定される。
【００５２】
次に、ケーブル長可変装置３４を本体支持部２１の鍔部２１ｃに取り付ける。この場合、ケーブル長可変装置３４は、図９に示すように、下筐体部６３を後方へスライドさせて、上筐体部６２の嵌合凸部６２ｂを露出させる。この状態にて、ケーブル長可変装置３４の上筐体部６２の前端部を鍔部２１ｃ上に配置し、鍔部２１ｃの嵌合穴２１ｃ１に嵌合凸部６２ｂを嵌合させる。その後、図８に示すように、下筐体部６３を前方にスライドさせて、上筐体部６２と下筐体部６３とにより、鍔部２１ｃを挟み込んだ状態とする。これにより、鍔部２１ｃにケーブル長可変装置３４を取り付けた状態となる。
【００５３】
なお、本体支持部２１に対するケーブル長可変装置３４の取り付けは、本体支持部２１に対する本体部２２の取り付けの前に行ってもよい。
【００５４】
次に、作業者は、電源ケーブル３３のコネクタ３６側の端部をケーブル長可変装置３４から引き出し、コネクタ３６を本体部２２の電源接続部３２に接続する。
【００５５】
この場合、作業者が電源ケーブル３３をケーブル長可変装置３４から引き出すと、図１１の（ａ）（ｂ）および図１２の（ａ）（ｂ）に示すように、可動プーリ６５が案内溝６６内を引出し方向Ｐへ移動する。これにより、ケーブル長可変装置３４の引出し側端部からコネクタ３６までの電源ケーブル３３の長さは、例えばＬ１からＬ２までΔＬだけ長くなる。一方、コネクタ３６を電源接続部３２に接続後に作業者が電源ケーブル３３から手を離すと、可動プーリ６５が引張りばね６７に引っ張られて戻し方向ＰＢへ移動する。これにより、ケーブル長可変装置３４の引出し側端部からコネクタ３６までの電源ケーブル３３の長さは、Ｌ２よりも短くなる。
【００５６】
なお、電源ケーブル３３の長さは、作業者がケーブル長可変装置３４から電源ケーブル３３を引き出した場合に、容易にコネクタ３６を電源接続部３２と接続可能であり、かつ作業者が電源ケーブル３３を離した場合に、ケーブル長可変装置３４による電源ケーブル３３の引き戻し動作により、電源ケーブル３３が不要な弛みを生じ難い長さに予め設定されている。
【００５７】
次に、ケーブル長可変装置３４および電源ケーブル３３の上にケーブルカバー３５を取り付ける。この場合、ケーブルカバー３５の操作レバー７２を操作し、係合爪部７１を本体部２２の係合凸部３７に係合させ、ケーブルカバー３５を本体部２２の上面に固定する。
【００５８】
本体支持部２１からの本体部２２の取り外しは、上述した本体支持部２１への本体部２２の取り付けと逆の手順にて行うことができる。
【００５９】
（送風装置の利点）
本実施形態の送風装置１では、電源ケーブル３３は、一端部がシーリングローゼット１２の電源接続アダプタ１４と接続され、他端部がケーブル長可変装置３４を介して本体部２２の電源接続部３２に接続される。
【００６０】
したがって、作業者は、電源ケーブル３３をケーブル長可変装置３４から引き出すことにより、電源ケーブル３３のコネクタ３６（他端部）を本体部２２の電源接続部３２に容易に接続することができる。また、電源接続部３２へのコネクタ３６の接続後に、作業者が電源ケーブル３３から手を離すと、電源ケーブル３３のコネクタ３６側の部分は、ケーブル長可変装置３４により、ケーブル長可変装置３４内へ引き戻される。
【００６１】
これにより、一端部がシーリングローゼット１２の電源接続アダプタ１４に接続された電源ケーブル３３は、本体部２２の電源接続部３２への接続が容易であり、かつ上記接続後に弛みが生じ難くなる。また、弛みが生じ難くなることにより、ケーブルカバー３５を取り付ける際に、ケーブルカバー３５が電源ケーブル３３を噛みこむ恐れがない。
【００６２】
また、ケーブル長可変装置３４は、上筐体部６２の嵌合凸部６２ｂを本体支持部２１の鍔部２１ｃの嵌合穴２１ｃ１に嵌合させ、下筐体部６３を前方へスライドさせて上筐体部６２と下筐体部６３とにより鍔部２１ｃを挟み込むことにより、本体支持部２１に取り付けることができる（連結状態）。すなわち、ケーブル長可変装置３４は、ねじ等の締結部材を使用せず、取り付けおよび取り外しが容易な状態にて、本体支持部２１に取り付けることができる。これにより、シーリングローゼット１２に対する送風装置１の取り付けおよび取り外し作業が容易である。
【００６３】
また、本体支持部２１にケーブル長可変装置３４を取り付けることができるので、電源ケーブル３３を電源接続部３２へ接続する際に、電源ケーブル３３をケーブル長可変装置３４から容易に引き出すことができる。
【００６４】
また、送風装置１は、ケーブル長可変装置３４および電源接続部３２の領域を上から覆うケーブルカバー３５を備え、ケーブルカバー３５の内面部材７３は不燃性部材である。したがって、電源ケーブル３３から発火した場合であっても、炎が直接に天井へ当たる事態を防止することができる。
【００６５】
また、ケーブルカバー３５は、嵌合動作部（係合爪部７１、操作レバー７２）により、本体部２２に対して簡単に取り付け取り外しできるので、シーリングローゼット１２に対する送風装置１の取り付けおよび取り外し作業が容易である。
【００６６】
また、ケーブル長可変装置３４は、電源ケーブル３３を回転可能な固定プーリ６４および回転可能な可動プーリ６５に巻き付けているので、電源ケーブル３３は摺接することによる損傷を受け難くなっている。
【００６７】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００６８】
実施形態１に示したケーブル長可変装置３４は、図１１の（ａ）（ｂ）および図１２の（ａ）（ｂ）に示したように、回転する固定プーリ６４および回転する可動プーリ６５を備えた構成とした。これに対し、本実施形態の送風装置１では、ケーブル長可変装置３４は、前記固定プーリ６４に代えて、電源ケーブル３３が接触する部分である外周部が円形の回転しない案内部材を備えている構成としてもよい。
【００６９】
このようなケーブル長可変装置３４を備えた送風装置１の動作および利点は、前述の実施形態１と同様である。
【００７０】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００７１】
実施形態１に示したケーブル長可変装置３４は、図１１の（ａ）（ｂ）および図１２の（ａ）（ｂ）に示したように、回転する固定プーリ６４および回転する可動プーリ６５を備えた構成とした。これに対し、本実施形態の送風装置１では、ケーブル長可変装置３４は、前記固定プーリ６４に代えて、電源ケーブル３３が接触する部分である外周部が円形の回転しない第１案内部材を備えている構成としてもよい。さらに、前記可動プーリ６５に代えて、電源ケーブル３３が接触する部分である外周部が円形の回転しない案内部材であって、前記可動プーリ６５と同様、前記案内溝６６に案内されて移動する第２案内部材を備えている構成としてもよい。
【００７２】
このようなケーブル長可変装置３４を備えた送風装置１の動作および利点は、前述の実施形態１と同様である。
【００７３】
〔まとめ〕
本発明の態様１に係る送風装置は、空気を吹き出すファン４７および前記ファン４７を回転させるモータ４８を有し、シーリングローゼット１２に取り付けられる本体部２２を備え、一端部を前記シーリングローゼット１２に接続し、他端部を前記本体部２２に接続する電源ケーブル３３により前記本体部２２に給電する送風装置において、前記電源ケーブル３３の前記一端部と前記他端部との間の部分を収容するケーブル収納部６２ａ、および前記ケーブル収納部６２ａに設けられ、前記ケーブル収納部６２ａからの前記電源ケーブル３３の引き出し長さを可変にするケーブル長可変部（固定プーリ６４、可動プーリ６５、案内溝６６、引張りばね６７）を有するケーブル長可変装置３４を備えている。
【００７４】
上記の構成によれば、ファン４７およびモータ４８を有する本体部２２は、電源ケーブル３３によりシーリングローゼット１２から給電される。ケーブル長可変装置３４は、ケーブル収納部６２ａおよびケーブル長可変部を有し、ケーブル長可変部は、ケーブル収納部６２ａからの電源ケーブル３３の引き出し長さを可変にする。
【００７５】
したがって、作業者は、電源ケーブル３３をケーブル長可変装置３４から引き出すことにより、電源ケーブル３３の他端部を本体部２２の所定の接続部（電源接続部３２）に容易に接続することができる。また、本体部２２への電源ケーブル３３の接続後に、ケーブル長可変部がケーブル収納部６２ａから引き出された電源ケーブル３３の余分の部分（弛んだ部分）を収納することにより、電源ケーブル３３が弛んだ状態になるのを抑制することができる。これにより、一端部がシーリングローゼット１２に接続された電源ケーブル３３は、本体部２２への接続が容易であり、かつ上記接続後に弛みが生じ難くなる。
【００７６】
また、電源ケーブル３３の弛みが生じ難くなることにより、例えば電源ケーブル３３が存在する領域を上方から覆うケーブルカバー３５を取り付ける際に、ケーブルカバー３５が電源ケーブル３３を噛みこむ恐れがない。
【００７７】
本発明の態様２に係る送風装置は、上記態様１において、前記ケーブル長可変部は、一定位置に固定状態に設けられ、前記シーリングローゼット１２から前記ケーブル収納部６２ａに引き込まれた前記電源ケーブル３３が、側面（例えば側面の前記電源ケーブル３３の引出し方向Ｐ側部分）と接して通過する第１案内部材（固定プーリ６４）と、前記ケーブル収納部６２ａからの前記電源ケーブル３３の引出し方向Ｐおよび前記引出し方向Ｐとは逆方向である戻し方向ＰＢに移動可能に設けられ、前記第１案内部材を通過した前記電源ケーブル３３が、側面（例えば側面の前記引出し方向Ｐとは逆方向である戻し方向ＰＢ側の部分）と接して通過する第２案内部材（可動プーリ６５）と、前記第２案内部材を前記戻し方向ＰＢへ付勢する付勢部材（引張りばね６７）とを備えている構成としてもよい。
【００７８】
上記の構成によれば、ケーブル長可変部は、第１案内部材と、第２案内部材と、付勢部材とを備える。シーリングローゼット１２からケーブル収納部６２ａに引き込まれた電源ケーブル３３は、第１案内部材の側面と接して第１案内部材を通過する。第１案内部材を通過した電源ケーブル３３は、第２案内部材の側面と接して第２案内部材を通過する。付勢部材は、第２案内部材を戻し方向ＰＢへ付勢する。
【００７９】
したがって、作業者が電源ケーブル３３を引っ張ると、電源ケーブル３３に引っ張られて第２案内部材が引出し方向Ｐへ移動することにより、電源ケーブル３３を容易に引き出すことができる。
【００８０】
また、電源ケーブル３３を本体部２２に接続後に、作業者が電源ケーブル３３から手を離すと、第２案内部材は、付勢部材に付勢されて戻し方向ＰＢへ移動する。この第２案内部材の移動に伴い、電源ケーブル３３の弛んだ部分はケーブル長可変装置３４内へ引き戻される。
【００８１】
これにより、電源ケーブル３３が本体部２２への接続後に弛んだ状態になるのを容易に抑制することができる。
【００８２】
本発明の態様３に係る送風装置は、上記態様２において、前記第２案内部材（可動プーリ６５）は、前記電源ケーブル３３が接触する外周部が円形であり、かつ回転可能である構成としてもよい。
【００８３】
上記の構成によれば、第２案内部材は、電源ケーブル３３が接触する外周部が円形であり、かつ回転可能であるので、電源ケーブル３３は第２案内部材と摺接することによる損傷を受け難くなっている。
【００８４】
本発明の態様４に係る送風装置は、上記態様３において、前記第１案内部材（固定プーリ６４）は、前記電源ケーブル３３が接触する外周部が円形であり、かつ回転可能である構成としてもよい。
【００８５】
上記の構成によれば、第１案内部材は、電源ケーブル３３が接触する外周部が円形であり、かつ回転可能であるので、電源ケーブル３３は第１案内部材と摺接することによる損傷を受け難くなっている。
【００８６】
本発明の態様５に係る送風装置は、上記態様１から４のいずれか１態様において、前記シーリングローゼット１２に取り付けられ、前記本体部２２に連結される本体支持部２１を備え、前記ケーブル長可変装置３４は、前記ケーブル長可変装置３４を前記本体支持部２１に対する連結状態、および前記連結状態を解除する連結解除状態とする連結動作部（嵌合凸部６２ｂ、下筐体部６３）を有する構成としてもよい。
【００８７】
上記の構成によれば、ケーブル長可変装置３４は、シーリングローゼット１２に取り付けられた本体支持部２１に、連結動作部により連結する（取り付ける）ことができる。すなわち、ケーブル長可変装置３４は、ねじ等の締結部材を使用せず、取り付けおよび取り外しが容易な状態にて、本体支持部２１に取り付けることができる。これにより、シーリングローゼット１２に対する送風装置１の取り付けおよび取り外し作業が容易である。
【００８８】
また、本体支持部２１にケーブル長可変装置３４を連結する（取り付ける）ことができるので、電源ケーブル３３を電源接続部３２へ接続する際に、電源ケーブル３３をケーブル長可変装置３４から容易に引き出すことができる。
【００８９】
本発明の態様６に係る送風装置は、上記態様１から５のいずれか１態様において、前記電源ケーブル３３と対向する内面に不燃部材を有し、前記電源ケーブル３３が存在する領域を上方から覆うケーブルカバー３５を備えている構成としてもよい。
【００９０】
上記の構成によれば、電源ケーブル３３から発火した場合であっても、ケーブルカバー３５が存在することにより、炎が直接に天井へ当たる事態を防止することができる。
【００９１】
本発明の態様７に係る送風装置は、上記態様６において、前記本体部２２は、上面における前記ケーブルカバー３５が配置される領域に嵌合受部（係合凸部３７）を有し、前記ケーブルカバー３５は、前記嵌合受部に対する嵌合動作および嵌合解除動作を行う嵌合動作部（係合爪部７１、操作レバー７２）を有する構成としてもよい。
【００９２】
上記の構成によれば、嵌合動作部により、本体部２２の上面に配置したケーブルカバー３５の固定および固定の解除を容易に行うことができる。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９４】
１      送風装置
１１      天井パネル
１２      シーリングローゼット
１４      電源接続アダプタ
２１      本体支持部
２１ｃ    鍔部
２１ｃ１  嵌合穴
２２      本体部
２６      係合部
３１      支持部材嵌合部
３２      電源接続部
３３      電源ケーブル
３４      ケーブル長可変装置
３５      ケーブルカバー
３６      コネクタ
３７      係合凸部（嵌合受部）
４２      送風機
４７      ファン
４８      モータ
５５      照明基板
６１      筐体
６２      上筐体部
６２ａ    ケーブル収納部
６２ｂ    嵌合凸部（連結動作部）
６３      下筐体部（連結動作部）
６４      固定プーリ（ケーブル長可変部）
６５      可動プーリ（ケーブル長可変部）
６６      案内溝（ケーブル長可変部）
６７      引張りばね（付勢部材、ケーブル長可変部）
７１      係合爪部（嵌脱動作部）
７２      操作レバー（嵌脱動作部）
７３      内面部材（不燃部材）
【図１】
2019086167.tif 000003
【図２】
2019086167.tif 000004
【図３】
2019086167.tif 000005
【図４】
2019086167.tif 000006
【図５】
2019086167.tif 000007
【図６】
2019086167.tif 000008
【図７】
2019086167.tif 000009
【図８】
2019086167.tif 000010
【図９】
2019086167.tif 000011
【図１０】
2019086167.tif 000012
【図１１】
2019086167.tif 000013
【図１２】
2019086167.tif 000014
【図１３】
2019086167.tif 000015
【図１４】
2019086167.tif 000016
【図１５】
2019086167.tif 000017